(57)【要約】【課題】発光体の微弱発光領域以外の領域から照射される光、および外光が光学装置の観測窓に入射することを防止し、微弱発光領域から光学装置に入射する光の強度を相対的に増大させることによって、微弱発光領域の観測精度を上げる。【解決手段】箱体１を備え、箱体の光学装置７に対向する面には、光学装置の視野より大きい面積を有する開口部２が形成される。箱体は、箱体の開口部と光学装置の観測窓８との間の空隙を、光学装置の視野を遮らないように包囲する遮光手段６を備える。箱体の内部に発光体１０の微弱発光領域１１を受け入れるための光取入口３が設けられる。箱体の内壁面の全体および前記遮光手段の内側面の全体が、光を反射させもしくは吸収するまたはその両方の機能を有する光減衰層によって被覆される。【選択図】図２
2008170201.tif 000002
【特許請求の範囲】
【請求項１】
発光体の微弱発光領域を光学装置によって観測するための方法であって、
前記発光体の前記微弱発光領域以外の領域から照射される光および外光を反射させること、または前記光および外光を吸収すること、またはその両方によって、前記光および外光が前記光学装置の観測窓に侵入してくることを防止し、それによって前記微弱発光領域から前記光学装置に入射する光線の強度を相対的に増大させるようにしたことを特徴とする方法。
【請求項２】
箱体を前記光学装置の観測窓に対向させて配置し、前記箱体の前記光学装置に対向する面には、前記光学装置の視野より大きい面積を有する開口部を設け、前記箱体の開口部と前記光学装置の観測窓との間の空隙を、前記光学装置の視野を遮らないようにしつつ遮光手段によって包囲し、前記箱体に光取入口を設けて前記箱体の内部に前記発光体の微弱発光領域を受け入れるようにし、さらに、前記箱体の内壁面の全体並びに前記遮光手段の内側面の全体を、光を反射させもしくは吸収する材料、またはその両方の機能を備えた材料によって被覆したことを特徴とする請求項１に記載の方法。
【請求項３】
前記箱体の内部における前記光学装置に対して前記微弱発光領域の後側に、少なくとも１つの平面もしくは少なくとも１つの曲面、またはそれらの両方から構成され、光を前記光学装置の観測窓に入射しないように反射させる幾何学的構造を設け、前記幾何学的構造における露出面をすべて、光を反射させもしくは吸収する材料、またはその両方の機能を有する材料によって被覆したことを特徴とする請求項２に記載の方法。
【請求項４】
前記箱体の内部における前記光学装置の光軸に関して前記光取入口と反対側に反射手段を配置して、前記光取入口側から前記光学装置の視野を横切る照射光線を、前記光学装置の観測窓に入射しないような向きに反射せしめることを特徴とする請求項２または請求項３に記載の方法。
【請求項５】
発光体の微弱発光領域を光学装置によって観測するための装置であって、
前記光学装置の観測窓に対向して配置された箱体を備え、前記箱体の前記光学装置に対向する面には、前記光学装置の視野より大きい面積を有する開口部が形成され、前記箱体には、前記箱体の開口部と前記光学装置の観測窓との間の空隙を、前記光学装置の視野を遮らないように包囲する遮光手段が備えられるとともに、前記箱体の内部に前記発光体の微弱発光領域を受け入れるための光取入口が設けられ、さらに、前記箱体の内壁面の全体および前記遮光手段の内側面の全体が、光を反射させもしくは吸収する、またはその両方の機能を有する光減衰層によって被覆されているものであることを特徴とする装置。
【請求項６】
前記箱体の内部における前記光学装置に対して前記微弱発光領域の後側に、少なくとも１つの平面もしくは少なくとも１つの曲面、またはそれらの両方から構成され、光を前記光学装置の観測窓に入射しないように反射させる幾何学的構造が設けられ、前記幾何学的構造における露出面がすべて、光を反射させもしくは吸収する、またはその両方の機能を有する光減衰層によって被覆されていることを特徴とする請求項５に記載の装置。
【請求項７】
前記幾何学的構造は、互いに対向し、かつ前記箱体の開口部から前記箱体の奥に向かって末広がり状にのびるように配置された一対の板体からなり、前記一対の板体の間隔が、前記開口部側において前記光学装置の視野より大きくなっており、さらに、前記板体は、平面もしくは曲面またはその両方を有していることを特徴とする請求項６に記載の装置。
【請求項８】
前記幾何学的構造は、前記箱体の開口部に対向する内壁面から該開口部に向かって先細り状に突出するように配置された中空円錐台または中空角錐台からなり、前記円錐台または前記角錐台の先端開口が、前記光学装置の視野より大きい面積を有するように形成されていることを特徴とする請求項６に記載の装置。
【請求項９】
前記箱体の内部における、前記光学装置の光軸に関して前記光取入口と反対側に反射手段が配置されていて、前記光取入口側から前記光学装置の視野を横切る照射光線を、前記光学装置の観測窓に入射しないような向きに反射せしめるようになっていることを特徴とする請求項５〜請求項８のいずれかに記載の装置。
【請求項１０】
前記遮光手段は、前記箱体に一体形成されて前記箱体の一部をなし、前記光学装置の観測窓が、前記箱体に設けられた観測窓挿入口に装着されるようになっていることを特徴とする請求項５〜請求項９のいずれかに記載の装置。
【請求項１１】
前記箱体の内部における前記観測窓挿入口に設けられ、前記光線取入口から直接にまたは反射の結果、前記光学装置の観測窓に入射する光線を遮る庇をさらに備えていることを特徴とする請求項１０に記載の装置。
【請求項１２】
前記庇は、丸味を帯びた形状を有していることを特徴とする請求項１１に記載の装置。
【発明の詳細な説明】
【技術分野】
【０００１】
本発明は、発光体の微弱発光領域を光学装置によって観測するための方法および装置に関するものである。
【背景技術】
【０００２】
従来、発光体の微弱発光領域を光学装置によって観測する場合には、暗箱が使用され、発光体を含む観測系の全体を暗箱内に収容して実施することが一般的であった（例えば、特許文献１、２参照）。
【０００３】
この方法によれば、発光体の外部に存在する別の発光源から照射される光を確実に遮光して、光学装置の観測窓に侵入するのを防止することができる。しかしながら、発光体からの照射光が箱体の内壁面および光学装置によって反射せしめられて生じた２次的な光が、発光体からの照射光に重畳されて光学装置の観測窓に侵入し、それによって微弱発光領域からの照射光線の強度が相対的に弱められてしまい、正確な観測をすることが容易ではなかった。
【０００４】
【特許文献１】特許第２８９０８４０号公報
【特許文献２】特開平１０‐３００６６０号公報
【発明の開示】
【発明が解決しようとする課題】
【０００５】
したがって、本発明の課題は、発光体の微弱発光領域以外の領域から照射される光、および外光が光学装置の観測窓に入射することを防止し、微弱発光領域から光学装置に入射する光の強度を相対的に増大させることによって、微弱発光領域の観測精度を上げることにある。
【課題を解決するための手段】
【０００６】
上記課題を解決するため、第１発明は、発光体の微弱発光領域を光学装置によって観測するための方法であって、前記発光体の前記微弱発光領域以外の領域から照射される光および外光を反射させること、または前記光および外光を吸収すること、またはその両方によって、前記光および外光が前記光学装置の観測窓に侵入してくることを防止し、それによって前記微弱発光領域から前記光学装置に入射する光線の強度を相対的に増大させるようにしたことを特徴とする方法を構成したものである。
【０００７】
第１発明の構成において、箱体を前記光学装置の観測窓に対向させて配置し、前記箱体の前記光学装置に対向する面には、前記光学装置の視野より大きい面積を有する開口部を設け、前記箱体の開口部と前記光学装置の観測窓との間の空隙を、前記光学装置の視野を遮らないようにしつつ遮光手段によって包囲し、前記箱体に光取入口を設けて前記箱体の内部に前記発光体の微弱発光領域を受け入れるようにし、さらに、前記箱体の内壁面の全体並びに前記遮光手段の内側面の全体を、光を反射させもしくは吸収する材料、またはその両方の機能を備えた材料によって被覆することが好ましい。
【０００８】
前記箱体の内部における前記光学装置に対して前記微弱発光領域の後側に、少なくとも１つの平面もしくは少なくとも１つの曲面、またはそれらの両方から構成され、光を前記光学装置の観測窓に入射しないように反射させる幾何学的構造を設け、前記幾何学的構造における露出面をすべて、光を反射させもしくは吸収する材料、またはその両方の機能を有する材料によって被覆することがさらに好ましい。
【０００９】
また、前記箱体の内部における前記光学装置の光軸に関して前記光取入口と反対側に反射手段を配置して、前記光取入口側から前記光学装置の視野を横切る照射光線を、前記光学装置の観測窓に入射しないような向きに反射せしめることが好ましい。
【００１０】
上記課題を解決するため、また第２発明は、発光体の微弱発光領域を光学装置によって観測するための装置であって、前記光学装置の観測窓に対向して配置された箱体を備え、前記箱体の前記光学装置に対向する面には、前記光学装置の視野より大きい面積を有する開口部が形成され、前記箱体には、前記箱体の開口部と前記光学装置の観測窓との間の空隙を、前記光学装置の視野を遮らないように包囲する遮光手段が備えられるとともに、前記箱体の内部に前記発光体の微弱発光領域を受け入れるための光取入口が設けられ、さらに、前記箱体の内壁面の全体および前記遮光手段の内側面の全体が、光を反射させもしくは吸収する、またはその両方の機能を有する光減衰層によって被覆されているものであることを特徴とする装置を構成したものである。
【００１１】
第２発明の構成において、好ましくは、前記箱体の内部における前記光学装置に対して前記微弱発光領域の後側に、少なくとも１つの平面もしくは少なくとも１つの曲面、またはそれらの両方から構成され、光を前記光学装置の観測窓に入射しないように反射させる幾何学的構造が設けられ、前記幾何学的構造における露出面がすべて、光を反射させもしくは吸収する、またはその両方の機能を有する光減衰層によって被覆されている。
【００１２】
さらに、前記幾何学的構造は、互いに対向し、かつ前記箱体の開口部から前記箱体の奥に向かって末広がり状にのびるように配置された一対の板体からなり、前記一対の板体の間隔が、前記開口部側において前記光学装置の視野より大きくなっており、さらに、前記板体は、平面もしくは曲面またはその両方を有していることが好ましい。
あるいは、前記幾何学的構造は、前記箱体の開口部に対向する内壁面から該開口部に向かって先細り状に突出するように配置された中空円錐台または中空角錐台からなり、前記円錐台または前記角錐台の先端開口が、前記光学装置の視野より大きい面積を有するように形成されていることが好ましい。
【００１３】
また、前記箱体の内部における、前記光学装置の光軸に関して前記光取入口と反対側に反射手段が配置されていて、前記光取入口側から前記光学装置の視野を横切る照射光線を、前記光学装置の観測窓に入射しないような向きに反射せしめるようになっていることが好ましい。
また、前記遮光手段は、前記箱体に一体形成されて前記箱体の一部をなし、前記光学装置の観測窓が、前記箱体に設けられた観測窓挿入口に装着されるようになっていることが好ましく、さらに、前記箱体の内部における前記観測窓挿入口に設けられ、前記光線取入口から直接にまたは反射の結果、前記光学装置の観測窓に入射する光線を遮る庇をさらに備えていることが好ましく、さらには、前記庇は、丸味を帯びた形状を有していることが好ましい。
【発明の効果】
【００１４】
本発明によれば、発光体の微弱発光領域以外の領域から照射される光および外光を反射させること、または光および外光を吸収すること、またはその両方によって、光および外光が光学装置の観測窓に侵入してくることを防止し、それによって微弱発光領域から光学装置に入射する光線の強度を相対的に増大させるようにしたので、微弱発光領域の観測を容易、かつ正確に行うことができる。
【００１５】
また、本発明によれば、箱体を光学装置に対向させて配置するとともに、箱体の光学装置に対向する面には開口部を形成し、箱体の開口部と光学装置の観測窓との間の空隙を、遮光手段によって包囲し、箱体に光取入口を設けて箱体内部に発光体の微弱発光領域を受け入れ、さらに、箱体の内壁面の全体および遮光手段の内側面の全体を、光を反射させもしくは吸収する、またはその両方の機能を有する光減衰層によって被覆したので、発光体の微弱発光領域以外の領域から照射される光、並びに外光が、微弱発光領域から照射された光に重畳されて光学装置の観測窓に入射することが防止され、それによって微弱発光領域からの照射光線の強度が相対的に強められる。
【発明を実施するための最良の形態】
【００１６】
以下、本発明の好ましい実施例について説明する。本発明の方法は、発光体の微弱発光領域以外の領域から照射される光および外光を反射させること、または光および外光を吸収すること、またはその両方によって、前記光および外光が光学装置の観測窓に侵入してくることを防止し、それによって微弱発光領域から光学装置に入射する光線の強度を相対的に増大させるようにしたものである。
【００１７】
そして、本発明の方法によれば、例えば、箱体が光学装置の観測窓に対向して配置される。箱体の光学装置に対向する面には、光学装置の視野より大きい面積を有する開口部が設けられ、箱体の開口部と光学装置の観測窓との間の空隙は、光学装置の視野を遮らないようにしつつ遮光手段によって包囲される。また、箱体に光取入口が設けられて、箱体の内部に発光体の微弱発光領域が受け入れられる。さらに、箱体の内壁面の全体並びに遮光手段の内側面の全体が、光を反射させもしくは吸収する材料、またはその両方の機能を備えた材料によって被覆される。
【００１８】
さらに、箱体の内部における光学装置に対して微弱発光領域の後側に、光を光学装置の観測窓に入射しないように反射させる幾何学的構造が設けられる。幾何学的構造は、少なくとも１つの平面もしくは少なくとも１つの曲面、またはその両方から構成される。そして、幾何学的構造における露出面はすべて、光を反射させもしくは吸収する材料、またはその両方の機能を有する材料によって被覆される。
また、箱体の内部における光学装置の光軸に関して光取入口と反対側に反射手段が配置され、光取入口側から光学装置の視野を横切る照射光線を、光学装置の観測窓に入射しないように反射させる。
【００１９】
図１は、本発明の１実施例による発光体の微弱発光領域を光学装置によって観測するための装置の斜視図であり、図２は、図１における光学装置の光軸に沿った断面図である。なお、明瞭にするため、図１中、箱体１と光学装置７の間に備えられる遮光手段を省略してある。
図１および図２を参照して、本発明の装置は、光学装置７の観測窓８に対向して配置された箱体１を備えている。この実施例では、箱体１は直方体の形状を有しているが、箱体１の形状はこれに限定されるものではない。また、本発明の装置を適用可能な光学装置７としては、例えば、各種カメラ、各種測光器、各種光度計、各種分光計等が挙げられる。また、箱体１を形成する材料も特に限定されず、紙やプラスチックやアルミ板等の公知の適当な材料を使用することができる。
【００２０】
箱体１の光学装置７に対向する面には、光学装置７の視野より大きい面積を有する開口部２が形成される。開口部２は、この実施例では、箱体１の光学装置７に対向する面の全体に形成される。また、図２に示したように、箱体１には、箱体１の開口部２と光学装置７の観測窓８との間の空隙を、光学装置７の視野を遮らないように包囲する遮光手段６が備えられる。遮光手段６の構成は特に限定されず、例えば、図２に示したように、箱体１の上壁面1ａに突設された一対の水平な支持棒１９と、これら一対の支持棒１９に上から掛けられて、箱体１の開口部２の周辺部分から光学装置７の観測窓８の周辺部分までを覆い被すように配置された黒色のビロード等の遮光性を有する黒色布地２０とから構成することができる。
【００２１】
箱体１には、また、その内部に発光体１０の微弱発光領域１１を受け入れるための光取入口３が設けられる。この実施例では、光取入口３は箱体１の上壁面1ａに設けられている。
箱体１の内部には、光学装置７に対して微弱発光領域１１の後側に、光を光学装置７の観測窓８に入射しないように反射させるための幾何学的構造が設けられる。幾何学的構造は、少なくとも１つの平面もしくは少なくとも１つの曲面、またはそれらの両方から構成される。
【００２２】
この実施例では、この幾何学的構造は、互いに対向し、かつ箱体１の開口部２から箱体１の奥（後側内壁面１ｃ）に向かって末広がり状にのびるように配置された一対の板体4ａ、4ｂからなっている。この場合、図２から明らかなように、一方の板体4ａは、箱体１の上側内壁面1ａに対し、開口部２側に向かって鋭角をなして傾斜して配置され、他方の板体4ｂは、箱体１の下側内壁面1ｂに対し、開口部２側に向かって鋭角をなして傾斜して配置されるとともに、一対の板体4ａ、4ｂの間隔ｄが開口部２側において光学装置７の視野より大きくなるように配置される。
【００２３】
また、箱体１の内部における、光学装置７の光軸９に関して光取入口３と反対側に反射手段５が備えられる。この実施例では、反射手段５は公知の適当なミラーからなっており、光取入口３側から下向きに、光学装置７の視野を横切って箱体１の下側内壁面1ｂに向かう照射光線を、光学装置７の観測窓８に入射しないような向きに、この実施例では、箱体１の奥の方に向けて反射せしめる。この反射手段５は、本願発明に必須のものではなく、観測の必要に応じて適宜設けられる。
【００２４】
さらに、箱体１の内壁面の全体および幾何学的構造（一対の板体4ａ、4ｂ）における露出面の全体が、光を反射させもしくは吸収する、またはその両方の機能を有する光減衰層によって被覆される。この構成を実現する方法として、例えば、箱体１や幾何学的構造（一対の板体４ａ、4ｂ）を、艶のある黒色の平滑紙や、コーティングまたはプラスチックフィルムのラミネート加工が表面に施された黒色の紙によって形成する方法がある。あるいは、斜め一方向に一様に植毛されたスエード様の表面を備えた紙や、黒アルマイト処理を表面に施したアルミ板を使用して、箱体１や幾何学的構造（一対の板体４ａ、4ｂ）を形成するようにしてもよい。
この場合、材料表面が平滑であることが反射の重要な要素であり、黒色であることが吸収の重要な要素となっている。
【００２５】
こうして、発光体１０からの照射光が箱体１の光取入口３から取入れられ、箱体１内部に観測すべき微弱発光領域１１が位置するように、同時に、光学装置７の視野内に微弱発光領域１１が位置しかつ光学装置７の視野内に一対の板体４ａ、4ｂのエッジ部分が写り込まないように調節がなされる。
そして、光学装置７による観測がなされる。このとき、当該発光体１０の外部に存在する別の発光源から照射される光は、箱体１および遮光手段６によってほぼ完全に遮られ、光学装置７の観測窓９から侵入することはない。また、光取入口３から下向きに、光学装置７の視野をほぼ垂直に横切って箱体１の下側内壁面１ｂに向かって照射される光は、反射手段（ミラー）５によって光学装置７の観測窓８から遠ざかる向きに、特に、下側の板体4ｂと箱体１の下側壁面4ｂとの間の空間に向けて反射され、当該空間を画成する面によって繰り返し反射されながら吸収される。下側の板体光取入口３から斜め方向に箱体１内に照射される光は、一対の板体4ａ、4ｂの間の空間、または上側の板体4ａと箱体１の上側壁面４ａとの間の空間に向けて反射され、各空間を画成する面によって繰り返し反射されながら吸収される。そして、これらの光の大部分は、箱体１の後側内壁面１ｃに到達するまでにほとんど減衰してしまい、よって、光学装置の観測窓に入射する微弱発光領域からの照射光線の強度が相対的に強められる。
【００２６】
図３（Ａ)は、本発明の別の実施例による装置の概略構成を示す図１に類似の図であり、（Ｂ）は（Ａ)の変形例を示す図である。図３に示した実施例は、図１の実施例と、箱体の内部に配置される幾何学的構造の構成が異なり、さらに、箱体内に反射手段を備えていない点が相違している。したがって、図３（Ａ）、（Ｂ）中、図１に示した構成要素と同一のものには同一番号を付して詳細な説明を省略する。
【００２７】
図３（Ａ)を参照して、この実施例では、幾何学的構造は、箱体１の開口部２に対向する内壁面（後側内壁面）１ｃから該開口部に向かって先細り状に突出するように配置された中空の四角錐台１２からなっている。この場合、四角錐台１２の先端開口１３は、光学装置７の視野より大きい面積を有するように形成されている。
この実施例においても、前述の実施例における一対の板体4ａ、4ｂと同様、四角錐台１２の露出面はすべて、光を反射させもしくは吸収する、またはその両方の機能を有する光減衰層によって被覆されている。
【００２８】
この実施例によっても、前述の実施例と同様の効果が得られることは言うまでもない。なお、観測すべき微弱発光領域が、光取入口３の近傍、よって箱体１内部の上方に位置する場合には、光学装置７の観測窓８がやや上向きに調節されるが、このとき、四角錐台１２の先端開口１３の上辺エッジ１４が光学装置７の視野内に写り込み、微弱発光領域の観測が妨げられるおそれがある。このような場合には、図３（Ｂ）に示したように、箱体１の上側壁面１ａの一部が四角錐台１２の１つの側壁をなすような構成として、四角錐台１２の先端開口１３の上辺エッジ１４を箱体１の上側内壁面１ａ上に位置させることによって、上辺エッジ１４の写り込みを防止することができる。
【００２９】
図４は、本発明のさらに別の実施例による装置の概略構成を示す図１に類似の図である。この実施例は、図１の実施例と、箱体の内部に配置される幾何学的構造の構成および遮光手段の構成が異なり、また、箱体内に反射手段を備えていない点が相違している。したがって、図１に示した構成要素と同一のものには同一番号を付して詳細な説明を省略する。
【００３０】
図４を参照して、この実施例では、遮光手段が箱体１５に一体形成されて、箱体１５の一部をなしており、光学装置７の観測窓８が、箱体１５の前側壁面１５ｄに設けられた観測窓挿入口１６に装着されるようになっている。
【００３１】
幾何学的構造は、この実施例では、箱体１の後側内壁面１ｃから観測窓挿入口１６に向かって先細り状に突出するように配置された中空の四角錐台１７からなっている。そして、四角錐台１７の先端開口１８は、光学装置７の視野より大きい面積を有するように形成されている。
この実施例においても、図３の実施例における四角錐台１２と同様、円錐台１７の露出面はすべて、光を反射させもしくは吸収する、またはその両方の機能を有する光減衰層によって被覆されている。
【００３２】
図示はされないが、観測窓挿入口１６には、箱体１５の内側から庇が設けられ、光線取入口３から直接にまたは反射の結果、光学装置７の観測窓８に入射する光線を遮るようになっている。この場合、庇は丸味を帯びた形状を有していることが好ましい。
この実施例の場合にも、図１および図３の実施例と同様の効果が得られる。
【図面の簡単な説明】
【００３３】
【図１】本発明の１実施例による発光体の微弱発光領域を観測するための装置の概略構成を示す図である。なお、明瞭にするため、図中、箱体および光学装置間に備えられた遮光手段は省略してある。
【図２】図１における光学装置の光軸に沿った断面図である。
【図３】（Ａ)は、本発明の別の実施例による装置の概略構成を示す図１に類似の図であり、（Ｂ）は（Ａ)の変形例を示す図である。
【図４】本発明のさらに別の実施例による装置の概略構成を示す図１に類似の図である。
【符号の説明】
【００３４】
１  箱体
２  開口部
３  光取入口
4ａ、4ｂ  板体
５  反射手段
６  遮光手段
７  光学装置
８  観測窓
【図１】
2008170201.tif 000003
【図２】
2008170201.tif 000004
【図３】
2008170201.tif 000005
【図４】
2008170201.tif 000006